(57)【要約】【課題】紫外線の漏れ光の影響を抑制できる紫外線照射器を提供すること。【解決手段】紫外線放電ランプ１４が放射する紫外線Ｕを照射する紫外線照射器１０において、照射される紫外線Ｕの漏れ光Ｕａを遮光する遮光板３５と、遮光板３５を支持する支持フレーム２５とを有する遮光ユニット２３を備え、紫外線放電ランプ１４からみて遮光板３５に隠れた箇所に支持フレーム２５を配置している。【選択図】図２
2014065204.tif 000002
【特許請求の範囲】
【請求項１】
紫外線光源が放射する紫外線を照射する紫外線照射器において、
照射される前記紫外線の漏れ光を遮光する遮光板と、前記遮光板を支持する支持フレームとを有する遮光手段を備え、
前記紫外線光源からみて前記遮光板に隠れた箇所に前記支持フレームを配置した
ことを特徴とする紫外線照射器。
【請求項２】
前記遮光板を、前記紫外線光源の紫外線に曝される側の表面と、その裏面の間での温度差を抑える高熱伝導性材としたことを特徴とする請求項１に記載の紫外線照射器。
【請求項３】
前記遮光板を、前記紫外線光源の輻射熱を反射する反射性材としたことを特徴とする請求項１又は２に記載の紫外線照射器。
【請求項４】
前記遮光板を前記支持フレームにピン留めするための複数の孔部を、前記遮光板の変形を許容する方向に延びた長孔にしたことを特徴とする請求項１乃至３のいずれかに記載の紫外線照射器。
【請求項５】
前記遮光板と前記支持フレームの間に、前記遮光板から前記支持フレームへの熱伝達を遮断する熱遮断手段を備えることを特徴とする請求項１乃至４のいずれかに記載の紫外線照射器。
【発明の詳細な説明】
【技術分野】
【０００１】
本発明は、紫外線照射器に関する。
【背景技術】
【０００２】
従来、紫外線硬化型のＵＶインキでシートに印刷する印刷機では、ＵＶインキ塗布後のシートに紫外線を照射し硬化させる紫外線照射器をシート搬送路に面して設けたものが知られている。（例えば、特許文献１参照）。
【先行技術文献】
【特許文献】
【０００３】
【特許文献１】特開２００６−２９７６９０号公報
【発明の概要】
【発明が解決しようとする課題】
【０００４】
しかしながら、従来の印刷機においては、紫外線照射器が照射する紫外線が例えばシート搬送路から漏れて印刷前のシートやインキヘッドを照らし、これらを変質させたりする等の問題がある。
また印刷機の紫外線照射器では、一般に高出力の光源が用いられる。このため漏れ光を遮る遮光板を単純に設けただけでは、遮光板が光源の輻射熱により熱変形して遮光範囲が変わってしまい、漏れ光が確実に遮光できなくなるばかりか、照射光の照射範囲にも影響を与える。
【０００５】
本発明は、上述した事情に鑑みてなされたものであり、紫外線の漏れ光の影響を抑制できる紫外線照射器を提供することを目的とする。
【課題を解決するための手段】
【０００６】
上記目的を達成するために、本発明は、紫外線光源が放射する紫外線を照射する紫外線照射器において、照射される前記紫外線の漏れ光を遮光する遮光板と、前記遮光板を支持する支持フレームとを有する遮光手段を備え、前記紫外線光源からみて前記遮光板に隠れた箇所に前記支持フレームを配置したことを特徴とする。
【０００７】
また本発明は、上記紫外線照射器において、前記遮光板を、前記紫外線光源の紫外線に曝される側の表面と、その裏面の間での温度差を抑える高熱伝導性材としたことを特徴とする。
【０００８】
また本発明は、上記紫外線照射器において、前記遮光板を、前記紫外線光源の輻射熱を反射する反射性材としたことを特徴とする。
【０００９】
また本発明は、上記紫外線照射器において、前記遮光板を前記支持フレームにピン留めするための複数の孔部を、前記遮光板の変形を許容する方向に延びた長孔にしたことを特徴とする。
【００１０】
また本発明は、上記紫外線照射器において、前記遮光板と前記支持フレームの間に、前記遮光板から前記支持フレームへの熱伝達を遮断する熱遮断手段を備えることを特徴とする。
【発明の効果】
【００１１】
本発明の紫外線照射器によれば、照射される紫外線の漏れ光を遮光する遮光板を備えるため、紫外線照射を避けるべき部材や部位が漏れ光に曝される事を防止できる。
これに加え、この遮光板を支持する支持フレームを、紫外線光源からみて遮光板に隠れた箇所に配置する構成であるため、支持フレームが紫外線光源の紫外線や輻射熱に曝されることがない。このため、紫外線光源の出力が大きい場合でも、紫外線や輻射熱による支持フレームの熱変形が抑えられる。これにより、支持フレームの熱変形に伴う遮光板の変形や変位が抑えられるから、かかる変形や変位により照射範囲が変化する等を防止できる。
【図面の簡単な説明】
【００１２】
【図１】本発明の実施形態に係る紫外線照射器を有する印刷機の構成の一部を示す図である。
【図２】図１の遮光ユニット付近を含むＡ部拡大図である。
【図３】紫外線照射器の構成を示す側面図である。
【図４】紫外線照射器の底面図である。
【図５】遮光ユニットの平面図である。
【図６】図５のＶＩ−ＶＩ矢視断面図である。
【図７】図５のＶＩＩ−ＶＩＩ矢視断面図である。
【図８】遮光ユニットの分解図である。
【発明を実施するための形態】
【００１３】
以下、本発明の実施形態について図面を参照して説明する。
図１は本実施形態に係る紫外線照射器１０を有する印刷機１の構成の一部を示す図である。
印刷機１は、紫外線硬化型のＵＶインキをインキヘッド（図示せず）から吐出してシート４に塗布し、これに紫外線Ｕを照射してＵＶインキを硬化させることで印刷する。すなわち、印刷機１は、図１に示すように、インキヘッドでＵＶインキが塗布されたシート４を搬送路５ａに沿って搬送する搬送手段５と、シート４に紫外線Ｕを照射してＵＶインキを硬化させる一対の紫外線照射器１０と、シート４への紫外線照射を窒素雰囲気下で行うための窒素パージボックス６と、を備えている。
印刷機１は、図１に示す部材の他にも、ＵＶインキ塗布前の未印刷のシート４をストックする貯シート部等の通常の印刷機が備える部材を備えている。なお、この図では、シート４として枚葉紙を図示しているが、ロール紙等の連続紙であっても良い。
【００１４】
シート４の搬送路５ａは、ＵＶインキが塗布されたシート４を窒素パージボックス６の中に導入し、一対の紫外線照射器１０の各々に設定され、各々が紫外線Ｕをシート４に照射する照射位置Ｐを経由して当該窒素パージボックス６から排出するように設けられている。
搬送手段５は、この搬送路５ａに沿ってシート４を搬送するものであり、搬送路５ａに沿って延在する搬送ベルト５ｂと、当該搬送ベルト５ｂを移送する複数のスプロケット８ａ〜８ｃとを有している。
【００１５】
窒素パージボックス６は、その内部に上記搬送路５ａが通されるとともに、当該搬送路５ａを照射する紫外線Ｕを導入する導入開口６ａが設けられている。また窒素パージボックス６の内部は、紫外線Ｕが照射される搬送路５ａの周囲を窒素雰囲気とするように構成されており、シート４への紫外線照射が窒素雰囲気下で行われる。これによりＵＶインキには窒素雰囲気下で紫外線が照射されることとなり、酸素を含む雰囲気下で紫外線照射するよりもＵＶインキの硬化が促進されＵＶインキの定着（乾燥）が速やかに行われる。
【００１６】
図２は図１のＡ部拡大図であり、図３は紫外線照射器１０の構成を示す側面図である。また、図４は紫外線照射器１０の底面図である。
一対の紫外線照射器１０は、それぞれ略同一に構成されており、照射器本体１１と、遮光装置２０と、を備えている。
照射器本体１１は、図３に示すように、シート４のシート幅方向Ｅ（搬送方向Ｄに直交する方向）に長く延びる略箱型の筐体１３を備え、この筐体１３には、紫外線Ｕを放射するランプユニット１２が内設されている。
ランプユニット１２は、線状の紫外線光源である紫外線放電ランプ１４、及び反射鏡１６を備えている。紫外線放電ランプ１４は、１本、又は直線状に配置された複数本の直管型の線状光源を構成するランプであり、シート４の幅の全長に亘ってシート幅方向Ｅに延在する。反射鏡１６は、紫外線放電ランプ１４に沿って延び、当該紫外線放電ランプ１４を包囲する楕円反射鏡である。
【００１７】
紫外線放電ランプ１４は、図２に示すように、その管軸が反射鏡１６の第１焦点Ｆ１に配置されることで反射鏡１６の第２焦点Ｆ２で紫外線放電ランプ１４の放射光が集光する。この第２焦点Ｆ２は、筐体１３の内部であって底面１３ｔに設けた照射開口１３ａの上に位置するように設定されており、第２焦点Ｆ２の集光光が照射開口１３ａから拡がりながら紫外線Ｕとして照射される。
【００１８】
照射器本体１１から上記窒素パージボックス６への紫外線Ｕの入射時のロスを抑えるために、図２に示すように、照射器本体１１は、その照射開口１３ａと窒素パージボックス６の導入開口６ａと隙間αが狭くなるように近づけて対面配置されている。
これにより、照射器本体１１から照射された紫外線Ｕが効率良く窒素パージボックス６に導かれ、搬送路５ａをシート幅方向Ｅの全域に亘り、なおかつ搬送方向Ｄに沿って広範囲に照射される。
【００１９】
この紫外線照射器１０の紫外線放電ランプ１４には、ＵＶインキの硬化速度を速めて印刷のスループット向上を図る等のために、高出力タイプのランプ（例えば水銀ランプなど）が用いられており、この高出力な紫外線放電ランプ１４を空冷して安定点灯させるために、照射器本体１１には空冷機構が設けられている。
具体的には、照射器本体１１の筐体１３は、図２に示すように、照射開口１３ａがガラス板１７で閉塞されることで気密に構成されるとともに、筐体１３の天面には送風ダクト１５ａ、及び排気ダクト１５ｂが接続されている。送風ダクト１５ａには図示せぬ送風ファンが接続されており、この送風ファンの送風動作によって外部から筐体１３の内部に冷却風が送り込まれる。冷却風は筐体１３の内部を循環しながら紫外線放電ランプ１４，及び反射鏡１６を冷却し、排気ダクト１５ｂから排出される。
【００２０】
遮光装置２０は、照射器本体１１が照射する紫外線Ｕの漏れ光Ｕａを遮光するものであり、筐体１３の外側から照射開口１３ａを覆うように設けられている。漏れ光Ｕａは、所定の照射範囲を外れる光成分であり、この印刷機１では、紫外線Ｕの照射位置Ｐに予め設定された照射範囲を外れ、紫外線照射を回避すべき部材が配置された箇所Ｓ（図２）に向かう光が漏れ光Ｕａとなる。紫外線照射を回避すべき部材としては、例えば印刷前又は途中のシート４やインキヘッド（図示せず）等が挙げられる。すなわち、印刷前又は途中のシート４に漏れ光Ｕａが照射されると、シート４が劣化したり印刷品質が劣化し、またインキヘッドに漏れ光Ｕａが照射されるとＵＶインキが硬化してインキ詰まりが発生したりする。
【００２１】
特に、この印刷機１では、紫外線Ｕを照射位置Ｐで広範囲に拡げて照射するため、漏れ光Ｕａが発生し易くなり、また紫外線Ｕの出力が高いため漏れ光Ｕａの影響は大きい。
そこで、この印刷機１では、上記の通り、遮光装置２０を照射器本体１１の照射開口１３ａに設けることで、かかる漏れ光Ｕａを遮光することとしている。ただし、印刷機の構成や照射器本体１１の配置レイアウト、紫外線Ｕの出力によっては、漏れ光対策が不要な場合がある。そこで、この遮光装置２０は、漏れ光対策の必要性に応じて適宜に設置可能にすべく、照射器本体１１の外側に後付けにより取り付けられている。
【００２２】
すなわち、遮光装置２０は、図２〜図４に示すように、装置筐体２１と、この装置筐体２１に内設された遮光ユニット２３とを備えている。装置筐体２１は、図２に示すように、その上面が開放し、照射器本体１１の筐体１３の底面１３ｔに嵌め込み固定される箱体である。装置筐体２１の底面２１ｔには、図４に示すように、照射器本体１１の照射開口１３ａに対応した位置に、当該照射開口１３ａを内包する大きさの開口である紫外線通し窓２１ａが形成されており、照射開口１３ａから照射された紫外線Ｕが紫外線通し窓２１ａを通って印刷機１の照射位置Ｐに照射される。
この装置筐体２１の高さは、照射器本体１１と窒素パージボックス６との間の隙間αに収まる高さに制限されており、照射器本体１１の配置を変更することなく照射器本体１１に後付可能としている。
【００２３】
遮光ユニット２３は、照射開口１３ａと紫外線通し窓２１ａの間に配置され、照射開口１３ａから放射された紫外線Ｕの一部、すなわち漏れ光Ｕａを遮光する遮光手段である。この印刷機１では、図２に示すように、照射位置Ｐを外れて搬送方向Ｄに沿った上流側に向かう紫外線Ｕが漏れ光Ｕａとなっている。
遮光ユニット２３は、この漏れ光Ｕａを遮光すべく、紫外線通し窓２１ａの長手方向（シート幅方向Ｅ、すなわち紫外線放電ランプ１４の延在方向）の一端２４ａから他端２４ｂに架け渡した遮光板３５を備え、この遮光板３５によって漏れ光Ｕａが遮光される。
【００２４】
ここで、遮光装置２０は、図２に示すように、照射器本体１１の照射開口１３ａから更に照射位置Ｐに接近した位置に配置されることから、遮光板３５に多少の位置ズレが生じただけで、照射位置Ｐの紫外線照射に大きな影響が生じる。
特に、この印刷機１では、内部空冷を要する程に高出力な紫外線放電ランプ１４を紫外線光源に用いていることから、遮光ユニット２３が紫外線放電ランプ１４の紫外線（漏れ光Ｕａ）や輻射熱（遠赤外線等）により熱変形する虞がある。これに加え、遮光装置２０は、前掲図３に示したように、遮光ユニット２３がシート幅方向Ｅに長いため、この長手方向の中央部Ｃに大きな荷重が加わり、熱の影響と相まって下方へ垂れるような変形が起こりやすい。
そこで、本実施形態では、紫外線放電ランプ１４の熱影響があっても、照射位置Ｐでの紫外線照射が影響され難いように遮光ユニット２３を構成しており、係る構成について、以下に詳述する。
【００２５】
図５は遮光ユニット２３の平面図、図６は図５のＶＩ−ＶＩ矢視断面図、図７は図５のＶＩＩ−ＶＩＩ矢視断面図、図８は遮光ユニット２３の分解断面図である。
遮光ユニット２３は、上記遮光板３５の他に、支持フレーム２５と、スペーサ３０とを備えている。支持フレーム２５は、紫外線通し窓２１ａの長手方向に沿って遮光板３５を支持するための支持材であり、本実施形態では、繋ぎ目が無い１本の柱状部材が用いられている。スペーサ３０は、支持フレーム２５に長手方向に沿って所定の間隔で固定され、遮光板３５を支持フレーム２５から離間した位置で支持する。
【００２６】
遮光板３５は、上述の通り、遮光装置２０の紫外線通し窓２１ａの一端２４ａから他端２４ｂにかけて延びる平面視矩形状の板材である。
この遮光板３５は、１枚の板材ではなく、図５に示すように、長手方向に複数の矩形状の板片３６、３７を連結して構成されている。板片３６、３７は、紫外線放電ランプ１４の輻射熱（遠赤外線など）を反射する反射特性を有し、なおかつ、高熱伝導性を有する例えばアルミニウム等の材料で形成されている。板片３６、３７が輻射熱を反射することで紫外線放電ランプ１４の輻射熱による加熱が抑えられている。
また高熱伝導性を有することで、板片３６、３７の漏れ光Ｕａや輻射熱に曝される側の表面の温度が上昇して、その裏面の間で温度差が生じ難くなることから、表裏面の温度差に起因した反り等の変形が防止される。
【００２７】
ただし、長時間に亘り紫外線照射が行われた場合、遮光板３５の板片３６、３７に漏れ光Ｕａや輻射熱による熱が蓄積されて熱変形することがある。この場合、遮光板３５の熱変形が紫外線通し窓２１ａの長手方向（すなわち遮光板３５が架け渡される方向）であれば、紫外線通し窓２１ａにおける遮光板３５の遮光範囲は変わらないため、この方向への遮光板３５の熱変形は許容できる。そこで、この遮光ユニット２３では、遮光板３５の熱変形が上記長手方向（すなわち、シート幅方向Ｅ）にのみに制限されるように構成されている。
【００２８】
具体的には、遮光板３５は、図５に示すように、板片３６を一定間隔で配置し、板片３６の端部同士の間を板片３７で上から覆って重ね、この重なった箇所にピン４１を貫通させてピン留めすることで互いに連結される。そして、これら板片３６、３７は、このピン４１を通す孔が、上記長手方向であるシート幅方向Ｅに長い長孔３８で形成されている。
各長孔３８の下には上記スペーサ３０が配置され、長孔３８を貫通したピン４１は、図６、及び図７に示すように、スペーサ３０の丸孔３１に止め輪４２で相対移動不能に固定される。
この構成により、板片３６、３７の熱変形は、ピン４１が固定点となって長孔３８に沿った方向、すなわち遮光板３５の長手方向に制限されることとなる。
【００２９】
これに加え、板片３６、３７は、図６〜図８に示すように、両縁がＬ字に折れ曲がって成る側片３６ａ、３７ｂを備えることで、断面略コ字状に形成されている。これにより、上記長手方向に直交する断面内の剛性、すなわち搬送方向Ｄ、並びに鉛直方向の剛性が高められ、長手方向以外への変形が更に生じ難くなる。
さらに上述の通り、各板片３６、３７は高熱伝導性材で構成されることで、表裏面の温度差に起因した反り等の変形が生じ難くなっていることから、これら板片３６、３７の変形は、より確実に長手方向だけに制限されることとなる。
【００３０】
なお、図６〜図８において、符号４３はワッシャであり、このワッシャ４３と上記ピン４１、及び止め輪４２とにより、板片３６、３７を支持フレーム２５（より正確にはスペーサ３０）にピン留め固定する固定手段４０が構成されている。また、板片３６、３７の側片３６ａ、３７ｂの端部に設けた折曲片４５は遮光範囲の拡張に寄与するものである。
【００３１】
ところで、この遮光板３５を支持している支持フレーム２５が熱変形により歪んだりすると、この歪みによって遮光板３５も歪んでしまい、照射位置Ｐでの紫外線照射に影響を与えてしまう。
そこで、この遮光ユニット２３においては、図７、及び図８に示すように、漏れ光Ｕａの影になる箇所、すなわち前掲図２に示すように、紫外線放電ランプ１４からみて遮光板３５に隠れた箇所に支持フレーム２５を配置している。
これにより、支持フレーム２５が紫外線Ｕや漏れ光Ｕａ、輻射熱に直接的に曝されることが無いため、これらによる当該支持フレーム２５の加熱が抑えられ、熱変形が抑制される。
【００３２】
ただし、この支持フレーム２５が支持する遮光板３５に熱が蓄熱すると、高熱伝導性材で形成されていることから、遮光板３５からの熱伝達によって支持フレーム２５が加熱され、結局は熱変形が生じ易くなる。
そこで、この遮光ユニット２３においては、上記スペーサ３０を支持フレーム２５と遮光板３５との間に介在させ、このスペーサ３０によって遮光板３５から支持フレーム２５への熱伝達を遮断することとしている。
【００３３】
スペーサ３０は、図６〜図８に示すように、矩形板材を断面コ字状に折り曲げて両側に側片３２を設けて成る金具である。スペーサ３０は、図８に示すように、支持フレーム２５を上方から一対の側片３２が挟み込み、これら側片３２がボルト３４、及びナット３３で支持フレーム２５に締結されて固定される。そして上記遮光板３５が、スペーサ３０の上方から上面３０Ａに載置され、上記固定手段４０によって固定される。
このとき、上面３０Ａと遮光板３５の接触面積が大きいほど、遮光板３５からスペーサ３０への熱伝導が大きくなることから、スペーサ３０は、図５に示すように、支持フレーム２５の長手方向に延在するのではなく、板片３６、３７の連結部分に対応した位置に点在配置されている。
【００３４】
スペーサ３０は、図６、及び図７に示すように、その上面３０Ａと支持フレーム２５との間に隙間βを設けて支持フレーム２５に取り付けられる。この隙間βによって、スペーサ３０の上面３０Ａと支持フレーム２５との間に、当該上面３０Ａに載置された遮光板３５から支持フレーム２５への熱伝達を阻害する空気層が形成される。
また、このスペーサ３０は、遮光板３５よりも熱伝導性が低い例えばＳＵＳなどの低熱伝導性材料で形成されており、スペーサ３０を通じて遮光板３５から支持フレーム２５に熱が伝達されるのを防止している。
このように、支持フレーム２５は、スペーサ３０によって遮光板３５との間の熱的な結合が遮断されるから、遮光板３５の熱的な影響により熱変形することが防止される。
【００３５】
また、支持フレーム２５は、上述の通り、押し出し成型等を用いて製造された１本の柱状部材を用いて構成されており、その長手方向に繋ぎ目が無い事から、繋ぎ目が自重によって垂れるといった変形が防止されている。
これに加え、支持フレーム２５は、図６〜図８に示すように、その断面構造が、一対の柱状基体２６の各々の周囲に外枠片２８をアーム２７で支持した構造とし、自重によって垂れが生じない程度に剛性を有している。
これにより、紫外線光源が高出力であっても、更には、シート幅方向Ｅが長い場合であっても、支持フレーム２５は、上記の熱による変形、及び自重による変形が抑えられることとなる。そして、このように変形が無い支持フレーム２５に上記遮光板３５を支持させることで、当該支持フレーム２５の変形に起因した遮光板３５の変形が抑えられることから、照射位置Ｐでの紫外線照射に影響を与えることなく、所望の漏れ光Ｕａを確実に遮光できる。
【００３６】
以上説明したように、本実施形態によれば、次のような効果を奏する。
すなわち、本実施形態の紫外線照射器１０によれば、遮光ユニット２３を有した遮光装置２０を備え、この遮光ユニット２３が照射器本体１１から照射される紫外線Ｕの漏れ光Ｕａを遮光する遮光板３５を備える構成としたため、紫外線照射を避けるべき箇所Ｓへの漏れ光Ｕａの照射を防止できる。
これに加え、本実施形態では、遮光ユニット２３が遮光板３５を支持する支持フレーム２５を備え、この支持フレーム２５を紫外線放電ランプ１４からみて遮光板３５に隠れた箇所に配置する構成とした。
この構成により、支持フレーム２５が紫外線放電ランプ１４の紫外線Ｕ（漏れ光Ｕａ）や輻射熱に直接的に曝されることがないため、紫外線放電ランプ１４の出力が空冷を要する程に大きい場合でも、紫外線Ｕや輻射熱による支持フレーム２５の熱変形が抑えられる。これにより、支持フレーム２５の熱変形に伴う遮光板３５の変形が抑えられ、照射位置Ｐでの紫外線照射に影響を与えることなく、所望の漏れ光Ｕａを確実に遮光できる。
【００３７】
また本実施形態によれば、上記遮光板３５を、紫外線放電ランプ１４の紫外線Ｕ（漏れ光Ｕａ）に曝される側の表面と、その裏面の間での温度差を抑える高熱伝導性材から構成した。
これにより、遮光板３５の表裏面の温度差に起因した反り等の変形が抑制される。
【００３８】
さらに本実施形態によれば、遮光板３５を、紫外線放電ランプ１４の輻射熱を反射する反射性材で構成したため、この輻射熱による遮光板３５への熱の蓄積が低減され、熱変形が生じ難くなる。
【００３９】
また、本実施形態によれば、遮光板３５を支持フレーム２５にピン留めするための複数の孔部を、遮光板３５の変形を許容する方向（本実施形態ではシート幅方向Ｅ）に延びた長孔３８で構成した。
これにより、遮光板３５に熱変形が生じたとしても、その変形を、予め許容された方向、すなわち照射位置Ｐでの紫外線照射に影響を与えない方向に制限することができる。
【００４０】
また本実施形態によれば、遮光板３５と支持フレーム２５の間に、遮光板３５から支持フレーム２５への熱伝達を遮断する熱遮断手段としてのスペーサ３０を備える構成とした。
これにより、支持フレーム２５が遮光板３５を通じて加熱されることがないため、当該支持フレーム２５の熱変形を防止することがき、当該支持フレーム２５の変形に伴う遮光板３５の変形を防止できる。
【００４１】
なお、上述した実施形態は、あくまでも本発明の一態様を例示したものであって、本発明の趣旨を逸脱しない範囲で任意に変形、及び応用が可能である。
【００４２】
例えば上記実施形態では、遮光板３５として、紫外線通し窓２１ａの一端２４ａから他端２４ｂに架け渡された構成を例示したが、これに限らない。
すなわち、遮光板３５は、遮光すべき漏れ光Ｕａに応じた形状、及び大きさで形成され、また、当該漏れ光Ｕａを遮光可能に紫外線通し窓２１ａに配置される。このとき、遮光板３５は、紫外線通し窓２１ａを横断するように架け渡され、この架け渡された方向が遮光板３５の変形を許容する方向となる。
【００４３】
また例えば、遮光板３５の表面に反射膜を形成する等して輻射熱を反射する反射特性を持たせても良い。
また例えば、紫外線照射器１０は、シート４に印刷されたＵＶインキを硬化させる印刷機１に組み込まれるものとして説明したが、他の用途で紫外線を照射する機器に組み込まれても、もちろん本発明を適用可能である。
【符号の説明】
【００４４】
１０  紫外線照射器
１１  照射器本体
１２  ランプユニット
１３ａ  照射開口
１４  紫外線放電ランプ（紫外線光源）
１６  反射鏡
２０  遮光装置
２１ａ  紫外線通し窓
２３  遮光ユニット（遮光手段）
２５  支持フレーム
３０  スペーサ（熱遮断手段）
３５  遮光板
３８  長孔
Ｄ  搬送方向
Ｅ  シート幅方向
Ｐ  照射位置
Ｕ  紫外線
Ｕａ  漏れ光
【図１】
2014065204.tif 000003
【図２】
2014065204.tif 000004
【図３】
2014065204.tif 000005
【図４】
2014065204.tif 000006
【図５】
2014065204.tif 000007
【図６】
2014065204.tif 000008
【図７】
2014065204.tif 000009
【図８】
2014065204.tif 000010